Podtech/llm-jp-corpus-v4-ja_patent huggingface dataset:
(57)【要約】【課題】オムツ着用時に便の背中漏れを防止するために、尻の割れ目の隙間を埋め、便が上方にせり上がるのを防止するパッドを提供する。【解決手段】オムツ着用時に背中から便が漏れてしまうことを防止するため、尻の割れ目の隙間にパッドをオムツの中で装着して隙間を埋める。パッドは吸水性のある素材で、長方形又は楕円形等の縦長の形状をしており（１）のパッド中央部を尻の割れ目に挟んで装着させる。さらに上部の膨らみで臀部の湾曲による隙間を埋め、背中側にせり上がった便を吸収する。【選択図】図１
2019188090.tif 000002
【特許請求の範囲】
【請求項１】
オムツ内で、着用者の尻の割れ目に挟み隙間を埋めるもので、長方形又は楕円形等の縦長の形状をし、上部と中央部に膨らみを設けたことを特徴とする、吸水性のある素材で作られたパッド。
【請求項２】
粘着によりオムツに固定することの出来る請求項１に記載のパッド。
【発明の詳細な説明】
【技術分野】
【０００１】  この発明は、オムツ着用時に軟便などが背中側から流出するのを防止する用具に関するものである。
【背景技術】
【０００２】  従来のオムツは、着用者の尻の割れ目との間に隙間が出来てしまい、その隙間を通って軟便などが背中からオムツの外に流れ出てしまう事が多くあった。
【発明の概要】
【発明が解決しようとする課題】
【０００３】  便がオムツから流出してしまうと、衣類や寝具等に付着し汚してしまう事が多くあった。これはオムツ交換以外に着替えや寝具の交換等の作業を増やし、介護者や保育者等オムツを交換する者の負担となっていた。本発明は、以上のような欠点をなくすためになされたものである。
【課題を解決するための手段】
【０００４】  吸水性のある素材で作られた長方形、又は楕円形等の縦長の形状のパッドの上部が逆三角形に膨らみを帯び、そこからパッドの下部にかけて３分の２程度までにかけて中央部が細長く膨らみを帯びている。中央部を着用者の尻の割れ目に挟み込むようにオムツ内で装着して使用する。
本発明はオムツと併用し、オムツからの便漏れを防ぐ使い捨てのパッドである。
【発明の効果】
【０００５】  パッド中央部の膨らみが着用者の尻の割れ目の隙間を埋めるため、便が隙間をつたい背中に流れ出るのを防止する。また便が大量だった時など、便が上にせり上がってしまった場合は上部の厚み部分で便を吸収し流出を防ぐ。
パッドの下部は平面になっており、肛門の位置にくい込まないので排泄を妨害することなく使用できる。
【図面の簡単な説明】
【０００６】
【図１】本発明の正面図である。
【図２】本発明の断面図である。
【発明を実施するための形態】
【０００７】  以下、図面を参照しながら本発明を実施するための形態について説明する。
本発明は［図１］で示したように、吸水性のある素材でできた長方形、又は楕円形等の縦長の形状で薄型のパッドの中央部が細長く膨らみを帯びている（１）。この中央部分（１）をオムツ着用者の尻の割れ目に挟み込むようにして装着して使用する。この膨らみの部分も吸水性がある。
【０００８】  本発明は使い捨てであり、大きさは幅が約３〜６センチメートル、長さが約８〜１２センチメートル等の数種類のものを用意し着用者に適当な大きさのパッドを装着させる。
【０００９】  ［図２］で示したように、パッドの上部は厚みを帯びており、着用者の臀部の湾曲に密着させる事により、（１）の中央部で吸収しきれなかった便を受け止める役割をする部分である。
【００１０】  ［図１］で示したように、パッドの下部は平面になっており、中央の膨らみ部分との境（４）が着用者の肛門の最上部付近に当たるように装着することで、パッド下部がななめに尻から離れ、便を下方へと導くような仕組みである。
【符号の説明】
【００１１】  （１）パッド中央部の膨らみのある部分
（２）パッド上部の膨らみのある部分
（３）パッド下部
（４）パッド中央部と下部の境
【図１】
2019188090.tif 000003
【図２】
2019188090.tif 000004
(57)【要約】      （修正有）【課題】アナログ表示とディジタル表示の両方が行え、且つ、バッテリー交換の必要がない検流計を提供する。【解決手段】ディジタル表示には１組の逆接続ＬＥＤ２１を用い、複数のダイオードを直列接続した第1のダイオード群２２と、複数のダイオードを直列接続した第２のダイオード群２３を逆並列に接続し、前記ダイオード群の両端子間に、前記１組の逆接続ＬＥＤ２１と、この逆接続ＬＥＤ２１と直列に接続された抵抗Ｒ１を接続する。【選択図】図２
2019056657.tif 000002
【特許請求の範囲】
【請求項１】
アナログ表示とディジタル表示を有する検流計であって、
ディジタル表示には１組の逆接続ＬＥＤを用い、複数のダイオードを直列接続した第1のダイオード群と、複数のダイオードを直列接続した第２のダイオード群を逆並列に接続し、前記ダイオード群の両端子間に、前記１組の逆接続ＬＥＤと、この逆接続ＬＥＤと直列に接続された抵抗を接続することを特徴とする検流計。
【請求項２】
前記第１のダイオード群の各ダイオードの接続点と前記第２のダイオード群の各ダイオードの対向する接続点とを接続したことを特徴とする請求項１記載の検流計。
【発明の詳細な説明】
【技術分野】
【０００１】
本発明は、理科教材用の検流計について、その極性表示機能をレベルメータの表示だけではなくＬＥＤ等で視覚に訴え、さらに、バッテリーの交換の必要がない検流計に関する。
【背景技術】
【０００２】
検流計の多くは、可動コイルと磁石を用いて可動コイルに流れる電流に比例させて指示針の角度を回転させるものであった。
【０００３】
特許文献１には、任意の電圧を基準にして正側と負側を分離し、その大きさを、レベルメータを用いて示す技術が開示されている。
【先行技術文献】
【特許文献】
【０００４】
【特許文献１】実開昭６３−４７２８０号公報
【発明の概要】
【発明が解決しようとする課題】
【０００５】
通常、検流計はその指針が正、負に振れることによって電流がどちらに流れているかを判定し、電流の強さは、その指針の振れ方によってわかるようになっている。今回のニーズは理科教材用途である。小学校の理科教育においては、指針が左右に振れるようなアナログ的な見方と、ＬＥＤ表示のＯＮ／ＯＦＦのようなディジタル的な、同時表示が最適である。
【０００６】
ディジタルの表示を行うために、図１のような，ＬＥＤ表示器付きの検流計が考えられる。アナログ指針の部分は、従来のままとし、新たに内部にバッテリーを有し、指針信号の両端電圧をゼロ点と比較することで、極性を検出する。この出力でその極性に対応したＬＥＤが発光する。
【０００７】
しかしながら、このような方式の検流計は、バッテリーを要することが致命的な欠陥となる。この種の理科教材用の機器にバッテリーを搭載すると利用頻度が少ない為、そのメンテナンスが充分に行われない可能性が大きい。そのため基本的には理科教材用の器材からメンテナンスの作業は除外したいという課題がある。本発明は、バッテリー交換のメンテナンスを行わなくてもいいように、検流計に流れる電流から電源を獲得して表示機能を実現する手法を提案する。
【課題を解決するための手段】
【０００８】
上記課題を解決する検流計は、アナログ指針型の検流計部分はそのまま使用する。この外部にダイオードＤ１とＤ２を複数個逆接続した回路を直列に接続する。この端子間に逆接続した発光ダイオード（ＬＥＤ）と、これに直列に抵抗器Ｒ１を接続する。
【０００９】
本発明の具体的な動きについて説明する。逆接続したダイオードで順方向電圧が発生する。これは正、負の極性が起こる。ダイオード順方向電圧は、小電流の領域から、ほぼ一定の電圧（０．７Ｖ程度）になる特徴がある。この端子間出力をＬＥＤの順方向電圧（Ｖｆ）よりも大きくなるようにダイオードの段数を決定する。（例えば、ＬＥＤのＶｆ＝１．９Ｖの場合、ダイオードを３段実装して０．７Ｖ×３＝２.１Ｖとする）。抵抗Ｒ１にて、このＬＥＤに流す電流を決定する。本実施例では、電圧差Ｖ１＝２．１−１．９＝０．２Ｖ。これを抵抗Ｒ１で割った値が電流値である。Ｒ１＝１０Ωとすれば約１０mＡの電流が流れることになる。  
【００１０】
このような構成にすることによって、実使用時は検流計の針が振れるのと同時に、針の正、負に対応した側のＬＥＤが点灯する。理科教材用として、わかりやすく表示される内容となっている。本実施例では、５Ａ、０．５Ａのレンジ切換え型の検流計を題材にしているが、この表示器の構成部分はどちらのレンジに対しても共通的に利用できる。
【発明の効果】
【００１１】
本発明の検流計では、電池等の付属物を使用することなく、アナログ表示の検流計に、ＬＥＤの点灯により、正、負の方向表示を合わせて行うことができる検流計が出来上がる。しかも、追加される負荷はダイオードだけである為、測定回路系に大きな影響がでることはない。
【図面の簡単な説明】
【００１２】
【図１】図１は、従来の検流計の概略構成図である。
【図２】図２は、本発明の基本構成を示した回路図である。
【図３】図３は、本発明の熱対策を施した実施例である。
【発明を実施するための形態】
【００１３】
このような構成をした場合、電流の大きな領域でのダイオードの損失が問題（熱問題）となる場合がある。そのため通常、ダイオードにヒートシンクを取り付けたり、実装面のプリント基板のパターン面を使って放熱することが採用される。
図３に熱対策を行った、複数逆接続のダイオードの各段の接続点を逆方向のダイオードの同一の部分と接続した例を示す。これは、機能的には、全く影響がないが、この接続を太いパターン等で結ぶことで、ダイオードの熱放散を助けることができる。即ち、電気的には一方向のダイオードが担うが、放熱の面では双方向のダイオードが分担する構成となっている。
【符号の説明】
【００１４】
１  バッテリー（電源）
２  比較器
３  ＬＥＤ
１０  アナログ系
１１  アナログ指針
２０  ディジタル表示回路
２１  逆接続ＬＥＤ
２２  第１のダイオード群（Ｄ１−１、Ｄ１−２、Ｄ１−３）
２３  第２のダイオード群（Ｄ２−１、Ｄ２−２、Ｄ２−３）
２４  Ｒ１（抵抗）
【図１】
2019056657.tif 000003
【図２】
2019056657.tif 000004
【図３】
2019056657.tif 000005
(57)【要約】【課題】従来の裾汚れ防止具は付属パーツが多い為、製作コストがかかる。その欠点を無くす為の裾汚れ防止具を提供する。【解決手段】ヒモ状（１）の両端に布を挟むパーツ（２）、（３）を有し、衣服を簡単に上部へ持ち上げることが出来ることを特徴とする裾汚れ防止具。前記布を挟むパーツを接続することにより首飾り等のアクセサリーとして使えることを特徴とする。更にヒモ状部分とパーツを他の素材に変え、ペンダントヘッドを取り付けられることを特徴とする。【選択図】図１
2019056195.tif 000002
【特許請求の範囲】
【請求項１】
ヒモ状の両端に布を挟むパーツを有し、衣服を簡単に上部へ持ち上げることが出来ることを特徴とする裾汚れ防止具。
【請求項２】
前記布を挟むパーツを接続することにより、首飾り等のアクセサリーとして使えることを特徴とする請求項１記載の裾汚れ防止具。
【請求項３】
前記ヒモとパーツの少なくとも一つがシルバー材であることを特徴とする請求項２記載の裾汚れ防止具。
【請求項４】
前記ヒモとパーツの少なくとも一つが真鍮材であることを特徴とする請求項２記載の裾汚れ防止具。
【請求項５】
前記ヒモに取り付けるペンダントヘッドを有することを特徴とする請求項２〜請求項４に記載の裾汚れ防止具。
【発明の詳細な説明】
【技術分野】
【０００１】  この発明は、首に掛けたヒモ状の両端に布を挟むパーツを取り付け、裾の広がったパンツ形スカートのトイレ時の裾を汚れから保護するための裾の汚れ防止具に関するものである。
【背景技術】
【０００２】  今日、裾の広がったパンツ形スカートの衣服（ワイドパンツ、スカーチョ、ガウチョ等と呼ばれている）は、多くの女性たちのファッションアイテムとして活用されている。しかし、このようなパンツ形スカートはスカート形とちがい、トイレの時に下着を下ろすためには一度下まで下ろさなければならず、その際裾が床に付いて汚れてしまうことが懸念される。その為、パンツ形スカート＝トイレの時に裾が汚れてしまうという悩みは多くの女性たちが知るところである。
【先行技術文献】
【特許文献】
【０００３】
【特許文献１】登録実用新案公報第３０３５６７１号
【非特許文献】
【０００４】
【非特許文献１】ＹＡＨＯＯショッピング  ＭＡＧＩＣ  ＢＥＬＴ
【非特許文献２】ＤＨＣ  ガウチョ用ラクペチ
【発明の概要】
【発明が解決しようとする課題】
【０００５】  従来の、例えば裾ベルトは、バックから取り出し装着するまでに時間がかかってしまう。そしてペチコートの場合は、暑い時期の履き忘れが予想される。上記特許文献１のベンリー裾上げクリップは付属パーツが多い為、製作コストがかかる。
本発明は、以上のような欠点をなくすためになされたものである。
【課題を解決するための手段】
【０００６】ヒモ状（１）の両端に布を挟むパーツ（２）、（３）を取り付け、そのパーツ同士を接続することによりアクセサリーとしても使うことが出来る。そして、ヒモとパーツの少なくとも一つをシルバーや真鍮に変え、ペンダントヘッドを取り付けることにより、いろいろなバリエーションで楽しむことが出来る。
【発明の効果】
【０００７】首にかけたヒモ状のものの両端にパンツ形スカートの裾を挟むパーツを取り付けることにより、簡単スピーディに裾を汚すことなく用を足すことが出来る。また構造がシンプルな為、無駄な材料を使わず安価に製造出来、パーツ同士を接続することによりスタイリッシュな首飾りとしても楽しむことが出来る。更にペンダントヘッドを付けることによりバリエーションを広げることが出来る。
【図面の簡単な説明】
【０００８】
【図１】本発明の構造図である。
【図２】本発明の使用法を説明するための模式図であり、首にかけたヒモ状の両端の布を挟むパーツにより、裾が持ち上がった状態を示している。
【図３】裾が持ち上がり、更にパンツ等の下着を下げて用を足している状態を示している。
【図４】ヒモ状部分を２重にし、布を挟むパーツ同士を接続することにより短めの首飾りとして使用している状態を示している。
【図５】布を挟むパーツ同士を接続することにより、首飾りとして使用している状態を示している。
【図６】首飾りとして使用する場合のパーツ同士の接続図を示している。
【図７】短めの首飾りにペンダントヘッドを取り付けた状態を示している。
【図８】首飾りにペンダントヘッドを取り付けた状態を示している。
【発明を実施するための形態】
【０００９】以下、本発明を実施するための形態について説明する。
ヒモ状（１）の両端に布を挟むパーツ（２）、（３）を取り付ける。ヒモ状（１）部分を首にかけ、少しかがんだ状態で両端のパーツ（２）、（３）を裾に取り付ける。パーツ（２）、（３）の形状は一例であり、他の形状でも良い。
本発明は以上のような構造である。
【００１０】用を足すまでの装着時間の短縮とファッション性を高める応用として、単なる補助具ではなく、常時身につけて楽しむアクセサリーとしても使用することも考えられる。使用例を〔図４〕、〔図５〕、〔図７〕、〔図８〕に示す。
【００１１】ヒモ状部分とパーツを他の素材に変えて楽しむことが出来る。
【００１２】ヒモ状部分とパーツを他の素材に変え、例えばシルバー又は真鍮、あるいは他の素材でも良い。更にペンダントヘッドを取り付けることにより、バリエーションが広がる。ペンダントヘッドの形状は一例であり、他の形状でも良い。
【符号の説明】
【００１３】  １  ヒモ状のもの
２  布を挟むパーツ
３  布を挟むパーツ
４  パンツ形スカート
５  首
６  首飾り（ヒモ状を２重にしたチョーカー）
７  首飾り（ロングネックレス）
８  ペンダントヘッド
【図１】
2019056195.tif 000003
【図２】
2019056195.tif 000004
【図３】
2019056195.tif 000005
【図４】
2019056195.tif 000006
【図５】
2019056195.tif 000007
【図６】
2019056195.tif 000008
【図７】
2019056195.tif 000009
【図８】
2019056195.tif 000010
(57)【要約】      （修正有）【課題】ベーンの往復動部がローターのスリットの中で固体接触しないように潤滑する方法を提供する。【解決手段】ベーン往復動部後端とベーン往復動部を収容するスリットの入り口を、炭化珪素・窒化珪素等焼結性耐熱粉末を含んだ液体を塗布し、互いに嵌め込み、それを再焼結して一体化し、多孔質部から高圧気体を噴出させることにより、相対する壁面が接近するとその間の気体圧力が高くなり、壁面が離れるとその間の気体圧力が低下する。壁面に外力が加わると、その分壁面は移動して平衡を保つ。このことによりベーンの往復動部がスリットの中で浮いた状態になり、高圧気体で潤滑シールして個体接触することがないようにすることができる。【選択図】なし【特許請求の範囲】
【請求項１】
ベーンエンジン用ベーンの往復動部の潤滑を確実にするため、ベーンの往復動部後端に高圧気体を噴出させる多孔質部のあるカバーを設け、ベーン往復動部を収容するローターのスリット部出口にも高圧気体を噴出させる多孔質部のある口金を設けてベーン往復動部がスリットの中で浮いた状態を維持して潤滑シールする装置。
【発明の詳細な説明】
【技術分野】
【０００１】  Ｆ０１Ｋ２３及びＦ０２Ｄ１９
【背景技術】
【０００２】
【特許文献１】日本国特許  弟３７８７７６８号
【特許文献２】特願２０１６−１９８４９３
【特許文献３】特願２０１７−１６４８３１
【発明の開示】
【発明が解決しようとする課題】
【０００３】  潤滑油を使わないでベーンの往復動部がそれを収容するローターのスリットの中で固体接触をしないようにしなければならない。
【課題を解決するための手段】
【０００４】  ベーンの往復動部後端に多孔質カバーを、そしてベーン往復動部を収容するローターのスリット部出口にも多孔質口金を設ける。ベーン往復動部後端と多孔質カバーの必要個所に炭化珪素・窒化珪素等焼結性耐熱粉末を含んだ液体を塗布し、スリット部出口と多孔質口金の必要個所にも炭化珪素・窒化珪素等焼結性耐熱粉末を含んだ液体を塗布し、互いに嵌め込み、それを再焼結して一体化する。【０００５】  ベーンの往復動部とスリットの幅と厚みは数１０〜数１００μｍの差があり、多孔質部から高圧気体を噴出させることにより、相対する壁面が接近するとその間の気体圧力が高くなり、壁面が離れるとその間の気体圧力が低下する。壁面の反対側も同じで、両壁面の近傍の気体圧力が釣り合ったところで壁面は安定する。壁面に外力が加わると、その分壁面は移動して平衡を保つ。このことによりベーンの往復動部がスリットの中で浮いた状態になる。これがベーンの往復動部の潤滑・シールである。
【発明の効果】
【０００６】  ベーンエンジンのベーン先端と共にベーン往復動部の固体接触を避け、ベーンエンジンの機能を十分に発揮することが出来る。
【発明を実施するための最良の形態】
【０００７】  高圧気体供給孔はローターやベーンをカーボンファイバー、塩化ビニル樹脂等焼失性構造材料、炭化珪素・窒化珪素等焼結性耐熱粒子、炭化珪素・窒化珪素等焼結性耐熱粉末等で制作するときに、塩化ビニル樹脂等焼失性構造材料の焼失跡を利用する。またローター軸受けの潤滑、ローターとサイドケース間のシール等エンジン内部の潤滑シールはすべて高圧気体により行う。
【実施例】
【０００８】  実施例はない。
【産業上の利用可能性】
【０００９】  従来のエンジンが熱機関であるにもかかわらず、冷却する矛盾を無くするために、高圧気体による潤滑シールにして熱を有効エネルギーに変換する割合を増加させる。またカルノーサイクルを参考にして熱供給（燃焼）温度をなるべく高くし、膨張率を大きくして排気温度をなるべく低くなるようにするとともに、排気熱で蒸気を作り、それを作動室に圧入することにより６０％前後の熱効率を可能にし、無害排気・地球温暖化ガスの半減・軽量小型化を可能にする。これにより熱機関は蒸気エンジンからガソリン・ジーゼルエンジンへ、ガソリン・ジーゼルエンジンからベーンエンジンへと技術的発展を見ることが出来る。
【図面の簡単な説明】
【００１０】
【図１】は本発明の実施形態を示す口金の正面図。右側半分は図３のＥ―Ｅ断面図。
【図２】は図１のＡ矢視図。右側半分は図１のＧ−Ｇ断面図。
【図３】は図１のＢ矢視図。右側半分は図１のＦ−Ｆ断面図。
【図４】は本発明の実施形態を示すベーン往復動部後端のカバーの正面図。右側半分は図６のＨ−Ｈ断面図。
【図５】は図４のＣ矢視図。右側半分は図４のＪ−Ｊ断面図。
【図６】は図４のＤ矢視図。右側半分は図４のＩ―Ｉ断面図。
【符号の説明】
【００１１】１：炭化珪素・窒化珪素等焼結性耐熱粒子で出来た多孔質材。
２：炭化珪素・窒化珪素等焼結性耐熱粉末で出来た構造材。
３：高圧気体通路（ローター製作時に設置した塩化ビニル樹脂等焼失性構造材料の焼失跡）
４：炭化珪素・窒化珪素等焼結性耐熱粒子で出来た多孔質材。
５：炭化珪素・窒化珪素等焼結性耐熱粉末で出来た構造材。
６：高圧気体通路（ベーン製作時に設置した塩化ビニル樹脂等焼失性構造材料の焼失跡）
2019143613.tif 000002
【図２】
2019143613.tif 000003
【図５】
2019143613.tif 000004
【手続補正書】
【提出日】平成30年7月13日(2018.7.13)
【手続補正１】
【補正対象書類名】図面
【補正対象項目名】全図
【補正方法】変更
【補正の内容】
【図１】
2019143613.tif 000005
【図２】
2019143613.tif 000006
【図３】
2019143613.tif 000007
【図４】
2019143613.tif 000008
【図５】
2019143613.tif 000009
【図６】
2019143613.tif 000010
(57)【要約】      （修正有）【課題】微少ストロークの微小移動距離装置（ピエゾアクチェーター等）のストロークを倍増し各種スイッチ等を開閉できるようにした装置を提供する。【解決手段】管型のパイプ（５）の内面に接する円筒型のピストンＡ（３）を設け、一端よりピストンＡ（３）に外接し、可動する構造を持つロッド受けＡ（１）を固定し、反対側の一端より、ピストンＢ（４）を内接し、可動する構造をもつ、ロット受けＢ（２）を、ピストンＡ（３）とロット受けＢ（２）の間に、液体（６）を充填し、荷重をピストンＡ（３）に加えると、断面積の変化でピストンＢ（４）の移動距離が任意に変化する。【選択図】図１
2019143792.tif 000002
【特許請求の範囲】
【請求項１】
管型のパイプ（５）の内面に接する円筒型のピストンＡ（３）を設け、一端よりピストンＡ（３）に外接し、可動する構造を持つロッド受けＡ（１）を固定し、反対側の一端より、ピストンＢ（４）を内接し、可動する構造をもつ、ロット受けＢ（２）を、ピストンＡ（３）とロット受けＢ（２）の間に、液体（６）を充填し、荷重ＡをピストンＡ（３）に加えると、断面積の変化でピストンＢ（４）の移動距離が任意に変化させる事の出来る装置
【発明の詳細な説明】
【発明の詳細な説明】
【産業上の利用分野】
【０００１】本考案は微少ストロークの微小移動距離装置（ピエゾアクチェーター等）のストロークを倍増し各種スイッチ等の開閉できるようにした装置である。
【背景技術】
【０００２】従来、微少移動距離装置（ピエゾアクチュエーター等）は、半導体のテーブルなどを動かすのに使われていた。しかし、消費電力や機器の小ささから有効でありつつもストロークを増倍し他への転用を促進される為の機器はなかった。
【考案が解決しようとする課題】
【０００３】従来の技術では、微小移動距離装置（ピエゾアクチェーター等）の停止精度のよさ、制御のしやすさまた、小ささは認めつつも、ストロークが小さい為、他の機器への応用はできなかった。特に、スイッチなどは一定の応差があるためストロークを増加させる機構を持った装置が必要であった。
【課題を解決する手段】
【０００４】（図１）に示すように、管型のパイプ（５）の内面に接する円筒型のピストンＡ（３）を設け、一端よりピストンＡ（３）に外接し、可動する構造を持つロッド受けＡ（１）を固定し、反対側の一端より、ピストンＢ（４）を内接し、可動する構造をもつ、ロット受けＢ（２）を、ピストンＡ（３）とロット受けＢ（２）の間に、液体（６）を充填し、固定し（図２）示すように荷重ＡをピストンＡ（３）に加えると、断面積の変化でピストンＢ（４）の移動距離が任意に変化せせる事の出来る装置
【作用】
【０００５】  （図２）に示すように、ピストンＡ（３）の一端より、荷重Ａを加圧することにより、液体（６）を介し、ピストンＢ（４）が作用し、ストロークが増し動作する。
【実施例】
【０００６】（イ）  ピストンＡ（３）とピストンＢ（４）の断面積を変化させる事でストロークを自在に変化できる
（ロ）  液体（６）の粘度を高める事で、ピストンＢ（４）の油の漏れが少なくなり反応も良くなる。
【発明の効果】
【０００７】微小移動距離装置（ピエゾアクチェーター等）の移動距離が０．０１ｍｍから０．１ｍｍに対し増ストロークシリンダーを用いる事により、ピストンの径の変更によりストロークが１００倍、５０倍と変化できるようになった。
そのために、最終的なストロークは１００倍で１ｍｍから１０ｍｍと動作するようになり、スイッチを動作させるのに十分なストロークを得られるようになった。
【図面の簡単な説明】
【図１】増ストロークシリンダー構造図
【図２】使用例図
【符号の説明】１    ロットウケＡ
２    ロットウケＢ
３    ピストンＡ
４    ピストンＢ
５    パイプ
６    作動油
Ａ    加圧荷重
Ｂ    増ストローク動作
【図１】
2019143792.tif 000003
【図２】
2019143792.tif 000004
(57)【要約】【課題】室内で飼う犬猫が気温が上がると窓を開け外気の空気を入れたくなるが、網戸にすると、犬と猫の爪や牙で網戸に引っ掻きメッシュ（網）に穴が開き害虫が入り込みや犬猫の脱出の原因となる、又、網戸にして就寝や窓から離れている時などに外から侵入者を出来るだけ防ごうとする安全二重網戸を提供する。【解決の手段】網戸の室内側の枠の後方部を使用し、網戸枠のサイズに合わせ金網亀甲や樹脂網を使用することにより、金網や樹脂網の強度が強くカッタナイフでも中々切れないし裂けない材料を張り付ける事により、安全二重網戸を特徴とするものです。【選択図】図８
2019143456.tif 000002
【特許請求の範囲】
【請求項１】
室内側の網戸枠の後部を使用し面ファスナ−凹を接着し、金網亀甲を窓枠のサイズ合わせカットした物に縁取りにフラットバ−を固着し面ファスナ−凸を固着して面ファスナ−凸凹で接合して使用する事を特徴とする安心二重網戸である。
【請求項２】
樹脂網を網戸枠のサイズにカットし縁にフラットバ−を固着したものに面ファスナ−凸を接着し、室内側の網戸枠後部に面ファスナ−凹を接着し面ファスナ−凸凹で接合して使用することで、網戸のメッシュ（網）をカッタナイフ等で切られても、容易には、切り離さないので、外部からの侵入にも時間を稼げる、請求項１の安心二重網戸である。
【発明の詳細な説明】
【技術分野】
【０００１】本発明は、気温が上がると窓を開け網戸にすると、室内で飼っている犬猫の爪や牙によるメッシュ（網）を掻きむしり穴を開けたり傷をつけたり外に脱出したり害虫の侵入の原因になる事や、網戸で就寝しててもある意味で危機感を防止する事に関するものである。
【背景の技術】
【０００２】従来、網戸に爪や牙で、いたずらをされないように格子の形をした物を置いたりと、試されていたようだが、美化的やスペ−スの間隔にも問題があった。
【発明の開示】
【発明が解決しようとする課題】
【０００３】そのために、次のような問題があった。
（１）網戸とガラス窓の間隔が狭く余裕がなかった為に、金網に枠をつけても室内側に置いても網戸と金網の間隔が取れずにメッシュ（網）に爪が掛かり網戸に穴があき害虫の侵入を防ぐことが出来なく、中々手間が掛かった。
（２）細い金属の網も近年販売されてきたが、張替えに使う網押さえゴムは変わらず、猫が爪を掛け引っ掻き、網によじ登りの繰り回しで外れてしまう事を阻止できない。
（３）室内で飼われて猫は、窓が開いていると室外に出ようと網戸に爪をたてるのは当り前で、外を自由自在に歩き廻りたいのが本能と思われる。
（４）６月から９月頃迄は窓を開けて外の微風を家の中に入れたいのが本音とと思われますが、最近の防犯面を考えると、注意が必要な事もあると思われる、網戸でも、安心な暮らしがと。
本発明は、以上の問題を解決するためのものである。
【課題を解決するための手段】
【０００４】（１）網戸の室内側を利用して犬猫のメッシュ（網）の破損と外部からの侵入者を出来るだけ防ぐ事を目的にしたことを特徴とした安心二重網戸である。
（２）図７の室内側正面図の裏には、網戸枠後部を利用し四方の枠に面ファスナ−凹を六ヶ所に設ける事により、図８の金網亀甲と図９樹脂網を使用すると場所と好みに合わせ網戸枠のサイズに合わせカットした縁にフラットバ−を固着し面ファスナ−凸をフラットバ−に面ファスナ−凹の位置に合わして固着し凸凹を合わせ使用すると、図４のように室内側に金網亀甲がありメッシュ（網）室外側になる事により、室内で飼われて居る犬猫の爪や牙によって金網、樹脂網が強度が強く室外側のメッシュ（網）に損傷をあたいなので安心である。
（３）図３の斜視図を斜めから確認しても網戸枠の幅が存り猫の爪がメッシュにとどかないので安心である。
（４）図２の金網亀甲を使用しフラットバ−に皿ネジ穴を複数設け金網の縁の廻りを押さえ直接網戸枠後部に皿ネジで固着し大型犬や猫が多く飼って居るときなどに適している。
【発明の効果】
【０００５】金網と樹脂網を使用することにより犬猫の爪や牙等によるメッシュ（網）に引っ掻き傷や穴あきを防ぐ事ができ犬猫の脱出と害虫の侵入を防ぐ事が出来て安心出来るようになった。
又、窓を解放して網戸しても室内側に金網や樹脂網の強度があり、従来の網戸メッシュ（網）はカッタ−ナイフで簡単に切れ、侵入も簡単に出来たが、二重網を設置したことで、容易く侵入出来なくなったことを特徴とする安心二重網戸である。
【発明を実施するための形態】
【０００６】以下、本発明の実施の形態について説明する。
（イ）図１室外側に（１）メッシュ（網）を網押さえゴムで張り付ける事により害虫を室内に侵入させない為のものである。
（ロ）図２の金網の縁にフラットバ−（４）に皿ネジ用の穴を開け網戸枠後部に固着して使用するものである。
（ハ）図３は斜視図である。
（ニ）図４室外側正面から視たもので手間いにメッシュ（網）奥に金網亀甲が視えるている網戸枠に二重になっている。
（ホ）図５の網戸枠の左側面図であり、左から見て右側にメッシュ（網）であり室外側の正面にあたる、網戸枠後部に金網亀甲にフラットバ−被せてある。
図の中央部にレ−ル枠が上下にある。
（ヘ）図６はフラットバ−に皿ビスの穴を設けたものであり、金網亀甲、樹脂網を張る時に使用する物である。
（ト）図７網戸枠後部に面ファスナ−凹を接着したもので、図８の金網亀甲と図９の樹脂網を面ファスナ−凸で場所と景観にあわせて選び使用するものである。
【図面の簡単な説明】
【０００７】
【図１】  正面から見た網戸。
【図２】  金網亀甲の縁にフラットバ−に皿ネジ用の穴を設けたもの。
【図３】  斜視図、網戸枠後部に金網亀甲の縁にフラットバ−を設けたもの。
【図４】  正面から見た全面にメッシュ（網）を室内側に金網亀甲を設けた。
【図５】  網戸枠を縦にし左側面、右側がメッシュ（網）左側が金網亀甲。
【図６】  フラットバ−に皿ネジ用の穴を設けたもの。
【図７】  網戸枠の後方に面ファスナ−凹を接着したもの。
【図８】  金網亀甲の縁にフラットバ−を固着し面ファスナ−凸を接着した。
【図９】  樹脂網の縁に樹脂板を固着し面ファスナ−凸を接着したもの。
【符号の説明】
【０００８】  １        メッシュ（網）
２        網戸枠
３        レール枠
４        フラットバ−
５        網戸枠後部
６        網押えゴム
７        金網亀甲
８        樹脂網
９        面ファスナ−凹
１０        面ファスナ−凸
１１        皿ネジネジ
【図１】
2019143456.tif 000003
【図２】
2019143456.tif 000004
【図３】
2019143456.tif 000005
【図４】
2019143456.tif 000006
【図５】
2019143456.tif 000007
【図６】
2019143456.tif 000008
【図７】
2019143456.tif 000009
【図８】
2019143456.tif 000010
【図９】
2019143456.tif 000011
(57)【要約】【課題】既存堤防より高くすることなく所望の越流防止性能を発揮し、また、堤防陸側の塩生湿地環境を将来的に護ることを可能にする防潮堤を提供する。【解決手段】上部に複数の鋼管矢板１を接続してなる防潮壁部２を備えるとともに、防潮壁部２を構成する鋼管矢板１を数本おきに支持地盤まで延ばし根入れしてなる支持杭部３を備える。【選択図】図１
2019143439.tif 000002
【特許請求の範囲】
【請求項１】
上部に複数の鋼管矢板を接続してなる防潮壁部を備えるとともに、前記防潮壁部を構成する前記鋼管矢板を数本おきに支持地盤まで延ばし根入れしてなる支持杭部を備えることを特徴とする防潮堤。
【発明の詳細な説明】
【技術分野】
【０００１】
本発明は、防潮堤に関する。
【背景技術】
【０００２】
防潮堤には、巨大地震発生時に最大津波が堤防を越流しないようにすることで、人命の保護、および建物、家屋、陸地内設備の損傷を防ぐことなどが求められている。また、防潮堤には、通常時や地震後の高潮、高波による越波量を許容値以下に抑えることも求められている（例えば、特許文献１参照）。
【先行技術文献】
【特許文献】
【０００３】
【特許文献１】特開２０１６−６５４２９号公報
【発明の概要】
【発明が解決しようとする課題】
【０００４】
ここで、大地震の発生によって基礎地盤が液状化した場合に、従来の防潮堤や既設堤防が沈下・崩壊するおそれがある。また、沈下して堤防所要高さが確保されていないと、地震後に津波が到達する場合に防潮機能が発揮されない。このため、従来、津波を想定し、堤防本体の嵩上げ等が計画されてはいるが、やはり、既設堤防の地震による沈下によって十分に機能が確保できないおそれがある。
【０００５】
一方、堤防からの海水の浸透を妨げず、堤防陸側の塩生湿地環境を将来的に守ることが求められるケースがある。また、景観の観点から、防潮堤が既存堤防より高くならないようにすることが求められるケースもある。
【０００６】
本発明は、上記事情に鑑み、既存堤防より高くすることなく所望の越流防止性能を発揮し、また、堤防陸側の塩生湿地環境を将来的に護ることを可能にする防潮堤を提供することを目的とする。
【課題を解決するための手段】
【０００７】
上記の目的を達するために、この発明は以下の手段を提供している。
【０００８】
本発明の防潮堤は、上部に複数の鋼管矢板を接続してなる防潮壁部を備えるとともに、前記防潮壁部を構成する前記鋼管矢板を数本おきに支持地盤まで延ばし根入れしてなる支持杭部を備えることを特徴とする。
【発明の効果】
【０００９】
本発明の防潮堤においては、既存堤防より高くすることなく所望の越流防止性能を発揮させることができ、また、堤防陸側の塩生湿地環境を将来的に護ることが可能になる。
【図面の簡単な説明】
【００１０】
【図１】本発明の一実施形態に係る防潮堤を示す図である。
【図２】本発明の一実施形態に係る防潮堤を示す図であり、図１のＸ１−Ｘ１線矢視図である。
【図３】本発明の一実施形態に係る防潮堤の設計フローを示す図である。
【図４】本発明の一実施形態に係る防潮堤の設計フローを示す図である。
【発明を実施するための形態】
【００１１】
以下、図１から図４を参照し、本発明の一実施形態に係る防潮堤について説明する。
【００１２】
本実施形態の防潮堤Ａは、図１及び図２に示すように、上部に複数の鋼管矢板１を接続してなる防潮壁部２を備えるとともに、防潮壁部２を構成する鋼管矢板（鋼管杭）１を数本おきに支持地盤まで延ばして根入れしてなる支持杭部３を備えて構成されている。
【００１３】
また、この防潮堤Ａは、従来の堤防４に隣接して構築／設置されている。
【００１４】
すなわち、本実施形態の防潮堤は、地震時に堤防が沈下した場合であっても堤防に従動せず、沈下しないように構成されている。
【００１５】
ここで、本実施形態の防潮堤Ａ、堤防４を設計する際には、図３に示すように、想定される高潮・高波、地震及び津波の設定を行い、現地の測量調査、地盤調査結果に基づき、堤防の地震による変形量、防潮堤断面力の算定を行う。次に、高潮・高波に対する防潮堤の必要高さ及び構造仕様の設計を行うとともに、津波に対する防潮堤の必要高さ及び構造仕様の設計を行う。そして、防潮堤天端高さや鋼管矢板の仕様など、防潮堤の基本設計、防潮堤構造の決定を行い、鋼管矢板の割り付け、上部工配筋設計などの防潮堤の細部・実施設計を行う。
【００１６】
さらに、防潮堤の構造設計の決定は、図４に示すように、想定地震動及び波力の条件などの想定する作用の設定を行い、鋼管矢板・鋼管杭の肉厚や長さ等の仕様を仮定し、ＦＬＩＰによる堤防地盤・防潮堤（鋼管矢板・鋼管杭）の二次元ＦＥＭ地震応答解析を行う。さらに、ＦＬＩＰ−ＤＩＳによる液状化後の堤防地盤・防潮堤構造の二次元ＦＥＭか過剰間隙水圧消散解析を行い、堤防地盤の沈下量を算定してボイリング現象を抑制する鋼管矢板の長さを決定する。これとともに、鋼管杭の鉛直荷重に対して安全な杭長を決定し、発生断面力に対して必要な鋼管杭仕様を決定する。
【００１７】
そして、上記のように構成した本実施形態の防潮堤Ａにおいては、地震で堤防４が沈下した際に鋼管矢板１で構成される防潮壁部２が現れ、地震後の津波を防護することが可能となる。
【００１８】
また、防潮堤Ａの高さを既設堤防４の高さ以下に抑えることにより、景観を損ねることはない。さらに、防潮壁部２の高さを調整することで、堤防４からの海水の浸透を妨げず、堤防陸側の塩生湿地環境を将来的に護ることができる。これにより、環境にやさしい構造を実現することが可能になる。
【００１９】
よって、本実施形態の防潮堤Ａによれば、堤防陸側の塩生湿地環境を将来的に護ることができ、また、既存堤防４より高くすることなく所望の越流防止性能を発揮することが可能になる。
【００２０】
以上、本発明に係る防潮堤の実施形態について説明したが、本発明は上記の一実施形態に限定されるものではなく、その趣旨を逸脱しない範囲で適宜変更可能である。
【符号の説明】
【００２１】
１    鋼管矢板（鋼管杭）
２    防潮壁部
３    支持杭部
４    堤防
Ａ    防潮堤
【図１】
2019143439.tif 000003
【図２】
2019143439.tif 000004
【図３】
2019143439.tif 000005
【図４】
2019143439.tif 000006
(57)【要約】      （修正有）【課題】洋式用トイレで男性が立ち小便した際、直立姿勢で放尿しても、便器の周辺への飛散を減らし、より清潔な状態を保つことにより清掃の手間を減らすことができる。また、動力、薬剤等を使わずランニングコストを最小化する尿はね抑制ボードを提供する。【解決手段】便器に載せるボードであり、ボードの穴は便器開口部の大きさより小さく、設置すると、便器内側に壁を作る。これにより、尿が水面または便器に当たった際の跳ね返りが便器外に飛散するのを抑制する。【選択図】図３
2019190256.tif 000002
【特許請求の範囲】
【請求項１】
便器の上にボードを置き尿はね削減する。
【発明の詳細な説明】
【技術分野】
【０００１】  本発明は男性が洋式便座等を用いて直立姿勢で放尿するさいに、便座及びその周辺に尿が飛散するのを抑制する器具を提供する。
【背景技術】
【０００２】  従来の方法では壁を用いて飛散を防止するか（特許文献１参照）、着座姿勢で飛散防止策をとったうえで放尿する（特許文献２参照）方法などがあった。しかし、壁を用いる場合、壁がある方向に関しては確実な飛散防止が望めるが、ない方向に関しては効果が期待できず、エアーカーテンを用いる場合は、風でウイルス、細菌が飛散する可能性による衛生面の問題、動力使用によるコスト問題が懸念される。また、着座姿勢に対応するものは、体に直接触れるため、同じく衛生面の問題がある。また、本発明の類似品として、便器の外側に板を設置する（特許文献３参照）があるが、板面積以上の飛散防止は期待できない。
【先行技術文献】
【特許文献】
【０００３】
【特許文献１】特許第６２２９１０３号  男子の尿の飛沫で便器とトイレの床や壁を汚さない洗浄便座
【特許文献２】特開２０１６−７３５８７号  尿飛散防止ベルト
【特許文献３】特開２０１６−５９４１６号  洋式大便器用・男性の立ち小便飛散防御板装置
【非特許文献】
【０００４】
【非特許文献１】なし。
【発明の概要】
【発明が解決しようとする課題】
【０００５】  洋式便器を男性が直立姿勢で放尿しても、飛散を減らし、より清潔な状態を保つことにより清掃の手間を減らす。また、飛散を減らすにあたり、動力、薬剤等を使わずランニングコストを最小化する。飛散防止をする装置は多くの場合、装置自体が汚染される可能性があるが、本発明の装置は極力形状を単純化することにより、低価格での市場投入を目指し、再利用、使い捨ていずれの使い方も想定している。また、形状の単純化は清掃しやすさにも寄与するほか、既設、新設を問わずどのような便器にも対応することができる。
【課題を解決するための手段】
【０００６】  上記の課題を解決するために、本発明は便器に載せるボードを提供するものである。ボードの穴は便器開口部の大きさより小さく、設置すると、便器内側に壁を作る。これにより、尿が水面または便器に当たった際の跳ね返りが便器外に飛散するのを抑制する。
【発明の効果】
【０００７】  尿の飛散を抑制することにより、トイレ室内がより清潔になり、清掃の手間を減らすことができる。
【図面の簡単な説明】
【０００８】
【図１】  ボード本体の図面である。
【図２】  ボードを設置した立面図である。
【図３】  ボードを設置した断面図である。
【発明を実施するための形態】
【０００９】  ボードに便器開口部より小さい穴をあける。これを、便器に設置する。その後放尿する。穴が便座のサイズと同一で、便器外にボードが飛び出ない場合は便器の設置及び撤去時、清掃時、取り換え時以外の着脱は不要だが、穴のサイズが異なる場合や、便器外に本発明品が飛び出て着座に支障がある場合は使用後の取り外しが必要となる。
【図１】
2019190256.tif 000003
【図２】
2019190256.tif 000004
【図３】
2019190256.tif 000005
【手続補正書】
【提出日】平成30年9月5日(2018.9.5)
【手続補正１】
【補正対象書類名】特許請求の範囲
【補正対象項目名】請求項１
【補正方法】変更
【補正の内容】
【請求項１】
便器の上にボードを置き尿はね削減する。使用しているボードは使い捨ても可能な為、衛生管理がしやすい。
(57)【要約】【課題】  従来の平板スレート屋根葺材は、野地板・ルーフィングの上に屋根葺材を釘で留めてあるだけであり、重ね部分に、ほこり・黄砂・火山灰（鹿児島地方）などが入り込み、毛細管現象により、隙間の奥まで水が浸入して釘部分より雨漏りの原因になっている。又、再塗装の際も重ね部分に一定の隙間がなく、塗料が詰まり、縁切りを行っても水が切れない状態にあって、雨漏りはもちろんのこと塗料も長持ちしない欠点がある。【解決手段】  そこで、この発明は平板スレート屋根葺材の釘部分の下に両面粘着テ−プで下と上の屋根葺材を接着する事により、ほこり・黄砂・火山灰（鹿児島地方）・水などの浸入を防ぐと共に両面粘着テープの厚み（３ｍｍ程度）によって重ね部分に一定の隙間を確保でき、再塗装の際も縁切りを行わなくても、水の切れも良くなると共に釘と粘着剤との２点支持によって風で剥がれにくくなる利点がある。【選択図】図５
2019190255.tif 000002
【特許請求の範囲】
【請求項１】
平板スレート屋根葺材の重ね部分にもうけた両面粘着テープによって、ほこり・黄砂・火山灰（鹿児島地方）・水の浸入を防ぐと共に毛細管現象による雨漏り、釘と粘着テープによる２点支持で風による剥がれなど、自然災害にも対応できる特徴を持った平板スレート屋根葺材を提供するものである。
【発明の詳細な説明】
【技術分野】
【０００１】本発明は、平板スレート屋根葺材の重なり部分の問題点に関するものである。
【背景技術】
【０００２】従来の平板スレート屋根葺材には、屋根再塗装時に重なり部分の問題点の縁切り部材を施したものがある。
【先行技術文献】
【特許文献】
【０００３】
【特許文献】特許第３９５６０１２号  商標登録第４９０２１６３号  商標名（タスペーサー）
【発明の概要】
【発明が解決しようとする課題】
【０００４】以上に述べた従来の平板スレート屋根葺材では、野地板・ルーフィングの上に平板スレート屋根葺材を釘で留めてあるだけであり、重ね部分の隙間に、ほこり・黄砂・火山灰（鹿児島地方）が入り込み、毛細管現象により雨水が浸入し釘穴部分より釘をつたって雨漏りの原因になっていた。
又、再塗装時に縁切り部材を施しても、ほこり・黄砂・灰などの入り込みは同じで雨水がじわじわ出て塗料も長持ちがしない欠点がある。
【課題を解決するための手段】
【０００５】そこで本発明は、上記課題を解決するため、重なり部分の釘の下に両面粘着テープを設けて接着した。
【発明の効果】
【０００６】本発明の平板スレート屋根葺材は、両面粘着テープの厚み（３ｍｍ程度）によって重ね部分に一定の隙間を設けることができる。
水の切れも良く接着部分より上には、ほこり・黄砂・火山灰（鹿児島地方）・水など浸入する事がなく、雨漏りも防ぐ事ができる。
また、釘と粘着剤の２点支持により風で剥がれにくくなる。再塗装時にも縁切りを行わなくても良くなる利点がある。
【図面の簡単な説明】
【０００７】
【図１】本発明の平板スレート屋根葺材で両面粘着テープの位置の姿図である。
【図２】本発明の平板スレート屋根葺材の軒側スターターで両面粘着テープの位置の姿図である。
【図３】平板スレート屋根葺材の施工図である。
【図４】本発明の平板スレート屋根葺材図３におけるＡ―Ａの線断面図である。
【図５】本発明の平板スレート屋根葺材図４○部の重ね部分の断面詳細図である。
【本発明を実施するための形態】
【００８】以下、本発明の実施形態を図面に基づいて説明する。
【００９】図５において２は平板スレート屋根葺材で、３は釘、４は本発明の両面粘着テープ、５はルーフィング、６は野地板である。
【実施例】
【００１０】野地板の上にルーフィングを敷き、［図２］の平板スレート屋根葺材軒側スターターを釘で留め両面粘着テープの養生紙をはがして、その上から［図１］の平板スレート屋根葺材を［図３］のように施行していく。
【符号の説明】
【００１１】１：平板スレート屋根葺材  軒側スターター
２：平板スレート屋根葺材
３：釘打ち穴
４：本発明の両面粘着テープ
５：ルーフィング
６：野地板
【図１】
2019190255.tif 000003
【図２】
2019190255.tif 000004
【図３】
2019190255.tif 000005
【図４】
2019190255.tif 000006
【図５】
2019190255.tif 000007
(57)【要約】      （修正有）【課題】火事・地震等により面格子のある室内に残された人が、窓から脱出できるようにした開閉式面格子を提供する。【解決手段】面格子５の取り付け枠１の溝４に面格子５を通してスライドできるようにし、室内側で鍵６をかけることができるようにした。【選択図】図１ｄ
2019190259.tif 000002
【特許請求の範囲】
【請求項１】
面格子の取り付け枠（１）の溝（４）に面格子（５）を通してスライドできるようにし室内側で鍵（６）をかけて安心して窓を開けることを特徴とする開閉式面格子。
面格子に枠を付けることによってさまざまな可能性がうまれる。
【請求項２】
面格子の取り付け枠（１）と面格子（５）の上下に穴（３）を開け、面格子の取り付け棒（４）と（６）をその穴に通し、主軸を着脱して面格子（５）が開閉できるようにする。窓の形状により、取り付け棒（４）か（６）に錠を付けて開けられないようにする。
【発明の詳細な説明】
【技術分野】
【０００１】  この発明は、火事・地震等により面格子のある室内に残された人が、開閉式の面格子により窓から脱出できるようにしたものである。
【背景技術】
【０００２】  従来の面格子は外からの侵入者は防げるが、室内からの脱出はできない。
【発明の概要】
【発明が解決しようとする課題】
【０００３】  これは次のような欠点があった。
従来の面格子は固定されており、緊急時に室内から脱出することができなかった。
本発明は、以上の欠点をなくすためになされたものである。
【課題を解決するための手段】
【０００４】面格子のとりつけ枠（１）にはめた面格子（５）が外れないように切ってある溝（４）に、面格子（５）を通し、スライドさせながら開閉させる。格子枠（１）についている板（３）に格子を固定させる鍵（６）で施錠して、外部からの侵入を防ぐ。
【発明の効果】
【０００５】  開閉式面格子は、地震・火事等緊急時に室内から面格子を外して脱出できるものである。平常時は室内で面格子に施錠して寝苦しい夜も風を通すことができ、安心して窓を開けることができる。
【図面の簡単な説明】
【０００７】
【第１図】
本発明の面格子取り付け枠の正面図である。
【第２図】
本発明の面格子取り付け枠の断面図である。
【第３図】
本発明の面格子正面図である。
【第４図】
本発明の面格子取り付けの断面図である。
【発明を実施するための形態】
【０００８】  以下本発明を実施するための形態について説明する。
面格子の固定枠（１）の上下に面格子をスライドさせる溝（４）をつけて、面格子（５）をはめて、面格子取り付け枠（１）の背面につけた支柱（３）に、室内からしっかり施錠する。
本発明は家の構造、窓の形状により上下・左右どの位置でも開閉でき、緊急時に素早く脱出することができる。
【符号の説明】
【０００９】１  格子枠
２  格子枠取り付けネジ穴
３  格子枠背面に格子止め板
４  格子枠に面格子を通す溝
５  面格子
６  面格子を格子枠に固定する錠
【図１】
2019190259.tif 000003
2019190259.tif 000004
【図２】
2019190259.tif 000005
2019190259.tif 000006
【手続補正書】
【提出日】平成30年7月3日(2018.7.3)
【手続補正２】
【補正対象書類名】明細書
【補正対象項目名】０００７
【補正方法】変更
【補正の内容】
【０００７】
【図１ａ】  本発明の面格子取り付け枠の正面図である。
【図１ｂ】  本発明の面格子取り付け枠の断面図である。
【図１ｃ】  本発明の面格子正面図である。
【図１ｄ】  本発明の面格子取り付けの断面図である。
【図２ａ】  本発明の面格子取り付け枠の正面図である。
【図２ｂ】  本発明の面格子取り付け軸である。
【図２ｃ】  本発明の面格子正面図である。
【図２ｄ】  本発明の面格子取り付けの正面図である。
【手続補正３】
【補正対象書類名】図面
【補正対象項目名】全図
【補正方法】変更
【補正の内容】
【図１ａ】
2019190259.tif 000007
【図１ｂ】
2019190259.tif 000008
【図１ｃ】
2019190259.tif 000009
【図１ｄ】
2019190259.tif 000010
【図２ａ】
2019190259.tif 000011
【図２ｂ】
2019190259.tif 000012
【図２ｃ】
2019190259.tif 000013
【図２ｄ】
2019190259.tif 000014